(57)【要約】【課題】  受信したデータを送信させる電子メールに、そのデータのなかで送信すべきデータをより確実に自動的に付加できる通信端末装置を提供する。【解決手段】  デジタル放送のデータ放送で送信されたデータは、アンテナＡＴ２を介してチューナー部１０２により受信され、ＯＦＤＭ復調部１０３で復調されてＣＰＵ１０５に送られる。ＣＰＵ１０５は、それを表示ドライバ部１１０に送出して表示部１０８に表示させる。そのデータを表示させた状態でユーザーがメール作成スイッチを操作すると、ＣＰＵ１０５は、表示させたデータの種類を判定することにより、テキストデータは電子メールの本文中に挿入し、イメージデータは添付ファイルとして添付する。それにより、表示部１０８に表示させているデータを自動的に電子メールに付加させる。【選択図】      図１
2005196289.tif 000002
【特許請求の範囲】
【請求項１】
通信ネットワークを介して電子メールを送信できる通信端末装置において、
前記通信ネットワークを介して送信されるデータ、及びデジタル放送のデータ放送で送信されるデータの少なくとも一方を受信できる受信手段と、
前記受信手段が受信したデータを前記電子メールで送信する場合に、該データの種類を判定し、該判定結果に応じて該データの該電子メールの本文への挿入、及び添付ファイルとしての添付のうちの少なくとも一方を行うことにより、該電子メールに該データを自動的に付加するデータ付加手段と、
を具備することを特徴とする通信端末装置。
【請求項２】
前記データ付加手段は、前記受信手段が受信したデータの種類の判定を行うことにより、該データのなかで文字データは前記電子メールの本文に挿入し、該文字データと異なる種類のデータは添付ファイルとして添付する、
ことを特徴とする請求項１記載の通信端末装置。
【請求項３】
前記データ付加手段は、前記受信手段が受信したデータの表示形式の判定を併せて行うことにより、前記文字データのなかで表形式で表示させるべき部分は画像データに変換し前記添付ファイルとして前記電子メールに添付する、
ことを特徴とする請求項１、または２記載の通信端末装置。
【請求項４】
通信ネットワークを介して電子メールを送信できる通信端末装置において、
前記通信ネットワークを介して送信されるデータ、及びデジタル放送のデータ放送で送信されるデータの少なくとも一方を受信できる受信手段と、
前記受信手段が受信したデータを表示装置上に表示させる表示制御手段と、
前記電子メールの作成を指示するための作成指示手段と、
前記表示制御手段が前記データを前記表示装置上に表示させている状態で前記作成指示手段により前記電子メールの作成が指示された場合に、該表示制御手段が該表示装置上に表示させている該データの種類を判定し、該判定結果に応じて該データの該電子メールの本文への挿入、及び添付ファイルとしての添付のうちの少なくとも一方を自動的に行うことにより、該電子メールの作成を支援する作成支援手段と、
を具備することを特徴とする通信端末装置。
【請求項５】
通信ネットワークを介して電子メールを送信できる通信端末装置に実行させるプログラムであって、
前記通信ネットワークを介して送信されるデータ、及びデジタル放送のデータ放送で送信されるデータの少なくとも一方を受信できる機能と、
前記受信する機能により受信したデータを前記電子メールで送信する場合に、該データの種類を判定し、該判定結果に応じて該データの該電子メールの本文への挿入、及び添付ファイルとしての添付のうちの少なくとも一方を行うことにより、該電子メールに該データを自動的に付加する機能と、
を実現させるためのプログラム。
【発明の詳細な説明】
【技術分野】
【０００１】
本発明は、通信ネットワークを介して電子メールを送信できる通信端末装置に関する。
【背景技術】
【０００２】
近年、情報インフラストラクチャとして通信ネットワークが急速に発展している。その発展に伴い、コミュニケーションの手段として電子メールが広く用いられている。その電子メールを送受信するメール機能は、現在では携帯電話機やＰＨＳなどの通話可能な移動通信端末装置の殆どに搭載されている。
【０００３】
メール機能を搭載した通信端末装置のなかには、例えば特許文献１に記載されているように、デジタル放送のデータ放送で送信されるデータを自動的に電子メールの添付ファイルとするものがある。その特許文献１記載の通信端末装置では、受信データが検索条件を満たすか否か判定し、その検索条件を満たしていると判定した場合に、受信データを予め設定された種類のデータ形式の添付ファイルにして電子メールに添付させている（段落００２８）。
【０００４】
しかし、受信データの予め設定された種類のデータ形式への変換は、必ずしも行えるとは限らない。文字データは画像データや音声データに変換することは可能であるが、例えば画像データから文字データへの変換は通常、行うことはできない。このため、特許文献１記載の通信端末装置では、電子メールを介して送信可能な受信データに事実上、大きな制約があった。その制約により、自動的に作成する電子メールでは、必ずしも送信すべきデータを送信できなかった。
【０００５】
その制約により、ユーザーが電子メールを作成するうえでの作成支援に適用した場合には、添付すべき受信データのなかで添付ファイルとして自動的に添付できないものが発生する可能性が高いということになる。そのような受信データが発生すると、ユーザーは不足する情報量を必要に応じて自ら補わなければならない。このことから、その制約は、ユーザーによる電子メールの作成を支援する場合であっても解消すべきであると云える。
【特許文献１】特開２００３−３７５６８号公報
【発明の開示】
【発明が解決しようとする課題】
【０００６】
本発明の課題は、受信したデータを送信させる電子メールに、そのデータのなかで送信すべきデータをより確実に自動的に付加できる通信端末装置を提供することにある。
【課題を解決するための手段】
【０００７】
本発明の第１、及び第２の態様の通信端末装置は共に、通信ネットワークを介して電子メールを送信できることを前提とし、それぞれ以下の手段を具備する。
第１の態様の通信端末装置は、通信ネットワークを介して送信されるデータ、及びデジタル放送のデータ放送で送信されるデータの少なくとも一方を受信できる受信手段と、受信手段が受信したデータを電子メールで送信する場合に、該データの種類を判定し、該判定結果に応じて該データの該電子メールの本文への挿入、及び添付ファイルとしての添付のうちの少なくとも一方を行うことにより、該電子メールに該データを自動的に付加するデータ付加手段と、を具備する。
【０００８】
なお、上記データ付加手段は、受信手段が受信したデータの種類の判定を行うことにより、該データのなかで文字データは電子メールの本文に挿入し、該文字データと異なる種類のデータは添付ファイルとして添付する、ことが望ましい。或いは／及び、受信手段が受信したデータの表示形式の判定を併せて行うことにより、文字データのなかで表形式で表示させるべき部分は画像データに変換し添付ファイルとして電子メールに添付する、ことが望ましい。
【０００９】
第２の態様の通信端末装置は、通信ネットワークを介して送信されるデータ、及びデジタル放送のデータ放送で送信されるデータの少なくとも一方を受信できる受信手段と、受信手段が受信したデータを表示装置上に表示させる表示制御手段と、電子メールの作成を指示するための作成指示手段と、表示制御手段がデータを表示装置上に表示させている状態で作成指示手段により電子メールの作成が指示された場合に、該表示制御手段が該表示装置上に表示させている該データの種類を判定し、該判定結果に応じて該データの該電子メールの本文への挿入、及び添付ファイルとしての添付のうちの少なくとも一方を自動的に行うことにより、該電子メールの作成を支援する作成支援手段と、を具備する。
【００１０】
本発明のプログラムは、通信ネットワークを介して電子メールを送信できる通信端末装置に実行させるプログラムであって、通信ネットワークを介して送信されるデータ、及びデジタル放送のデータ放送で送信されるデータの少なくとも一方を受信できる受信手段と、受信する機能により受信したデータを電子メールで送信する場合に、該データの種類を判定し、該判定結果に応じて該データの該電子メールの本文への挿入、及び添付ファイルとしての添付のうちの少なくとも一方を行うことにより、該電子メールに該データを自動的に付加する機能と、を実現させる。
【発明の効果】
【００１１】
本発明は、通信ネットワークを介して送信されるデータ、或いはデジタル放送のデータ放送で送信されるデータを電子メールで送信する場合に、そのデータの種類を少なくとも判定し、その判定結果に応じてデータの電子メールの本文への挿入、及び添付ファイルとしての添付のうちの少なくとも一方を行う。そのようにデータの種類を判定することにより、データを適切な形で電子メールに確実に自動的に付加できるようになる。このため、電子メールの自動作成では、必要な情報を送信相手に確実に伝えられる電子メールを自動作成することができ、その作成支援では、ユーザーが付加すべき情報を最小限に抑えることができる。付加すべき情報を最小限に抑えることにより、伝えるべきデータを全て付加した電子メールの作成をユーザーは確実、且つ容易に行えることとなる。
【発明を実施するための最良の形態】
【００１２】
以下、本発明の実施の形態について、図面を参照しながら詳細に説明する。
図１は、本実施の形態による通信端末装置の構成図である。
その通信端末装置（以降「通信端末」と略記）１０は、例えば携帯電話機、或いはＰＨＳなどの移動通信端末装置である。図１に示すように、アンテナＡＴ１を介して送受信する信号の周波数変換、及び変復調等を行うＲＦ（Radio Frequency）ブロック部１０１と、放送用の電波のなかで設定チャンネルのものをアンテナＡＴ２により受信して受信信号を出力するチューナー部１０２と、その受信信号を復調するＯＦＤＭ（Orthogonal Frequency Division Multiplexing）復調部１０３と、その復調後の受信信号を復号化して、映像データ、音声データをそれぞれ出力する復号部１０４と、端末１０全体の制御を行うＣＰＵ１０５と、そのＣＰＵ１０５が実行するプログラムや各種制御用データを格納したＲＯＭ１０６と、ＣＰＵ１０５がワークに用いるＲＡＭ１０７と、例えば共に液晶表示装置である２つの表示部１０８、及び１０９と、各表示部１０８、１０９に画像を表示させる表示ドライバ部１１０と、音声入力用のマイク１１１と、音声放音用のスピーカ１１２と、イヤホン用のジャック１１３と、各種スイッチを有するスイッチ部１１４と、を備えて構成されている。
【００１３】
なお、特には図示していないが、マイク１１１から出力されるアナログの音声信号はＡ／Ｄ変換器によりデジタルの音声信号に変換された後、ＣＰＵ１０５、或いはＲＦブロック部１０１に出力される。また、スピーカ１１２、及びジャック１１３には、Ｄ／Ａ変換器により変換されたアナログの音声信号が出力される。
【００１４】
上記２つの表示部１０８、及び１０９は、画面の大きさが異なるものである。その画面は、表示部１０８のほうが大きくなっている。このことから、表示部１０８はメイン表示部、表示部１０９はサブ表示部、とそれぞれ表記する。
上記ＲＦブロック部１０１は、携帯電話網、或いはＰＨＳ網から送信された信号を受信し処理するものである。受信した信号は復調して、ＣＰＵ１０５、或いはスピーカ１１２、及びジャック１１３（以降、前者のみを表記する）に出力する。電話による通話時には、その信号をスピーカ１１２に出力することにより接続先（電話がつながった電話機）からの音声を放音させる。インターネット接続時には、その信号（デジタルデータ）をＣＰＵ１０５に出力する。電話による通話時には、マイク１１１からの音声信号を入力し、それを変調してアンテナＡＴ１を介して送信する。以降、ＲＦブロック部１０１が信号を受信する通信ネットワークは携帯電話網であると想定することとする。
【００１５】
チューナー部１０１により選局する放送はデジタル放送である。そのデジタル放送では、映像や音声を出力するための映像放送の他にデータ放送が行われ、各種データがそのデータ放送により送信される。そのデータ放送のデータは、ＯＦＤＭ復調部１０３で復調された後、ＣＰＵ１０５に送られる。それ以外のもの、即ち映像放送として送信された映像音声データは、復号部１０４に送られて復号化される。その復号化によって得られた映像データは表示ドライバ部１１０に送られてメイン表示部１０８により表示される。また、それにより得られた音声データはスピーカ１１２に送られて放音される。それにより、本実施の形態による通信端末１０は、電話機（ここでは、端末装置としての機能を有するものの意味である）の他に、テレビジョン（以降「テレビ」或いは「ＴＶ」と略記）として用いることができるものとして実現されている。なお、チューナー部１０１、ＯＦＤＭ部１０３、及び復号部１０４は、全てテレビにのみ係わる構成要素であることから、以降、それらを総称して「ＴＶ部」と呼ぶことにする。
【００１６】
上記スイッチ部１１４が有するスイッチとしては、数値や文字等のシンボルの入力に用いられる各種数値（ダイヤル）キー、発呼等を指示するためのオフフックスイッチ、通信の終了等を指示するためのオンフックスイッチ、上下左右のスイッチからなるカーソルスイッチ、インターネットとの接続を指示するためのブラウザスイッチ、電子メールの作成を指示するためのメール作成スイッチ、メイン表示部１０８に表示された内容の処理を指示するための決定スイッチ、テレビとしての動作をオンオフするためのＴＶスイッチ、及び１画面前の状態に戻るのを指示するためのクリアスイッチ、などがある。それらに割り当てられた機能は固定ではなく、状況に応じて他の機能が随時、割り当てられる。スイッチ部１１４は、例えばユーザーが何らかのスイッチを操作する度に、操作されたスイッチをＣＰＵ１０５に通知する。
【００１７】
データ放送としては、主に放送中の番組に係わるデータが送信される。ＥＰＧ（電子番組ガイド）データは随時、送信される。前者を受信した場合には、例えば図８（ａ）に示すようなものがメイン表示部１０８に表示される。そのデータは、例えば図８（ｂ）に示すようにマークアップ言語（ＢＭＬ：Broadcast Markup Language）で記述されたものである。図８（ａ）中のユニフォームの画像は、タグの属性値として記述されたファイル名のファイルに格納されている画像（イメージ）データを配置したものである。
【００１８】
図８（ａ）に示すデータ表示例は、有名選手が着用しているユニフォームのプレゼントへの応募を案内するものである。それを見た通信端末１０のユーザーのなかには、そのプレゼントに興味を持つ可能性の高い人にそれの応募についての連絡を行おうとするものも居ると考えられる。その連絡を電子メールで行う場合、本実施の形態では、その作成を以下のように支援する。
【００１９】
図８（ａ）に示すようなデータがメイン表示部１０８に表示された状態でユーザーがメール作成スイッチを操作すると、ＣＰＵ１０５は、表示されたデータの種類を判定することにより、文字や記号等を示すテキストデータ（文字データ）は電子メールの本文中に挿入し、それ以外の種類のデータは添付ファイルとして添付する。それにより、図８（ａ）に示す表示例では、文字データとユニフォームのイメージデータの２種類のデータが表示されていることから、図１０に示すようなメール作成画面を自動的に作成してメイン表示部１０８に表示させる。
【００２０】
なお、その作成画面は、例えばＣＰＵ１０５が、ＲＯＭ１０６に格納されたオリジナルの作成画面（それは画面の枠となるものであることから、以降「画面枠」と呼ぶ）をＲＡＭ１０７にコピーし、そのコピーした作成画面上の本文の入力ボックス内にテキストデータのイメージデータを配置し、添付ファイル名の入力ボックス内には添付ファイルのファイル名を示すテキストデータのイメージデータをそれぞれ配置することで作成される。表示部１０８に表示させる他の画面も、ＲＯＭ１０６に格納されたオリジナルの画面をコピーしたものか、或いはそれを加工したものである。その表示は、表示ドライバ部１１０にそのイメージデータを送出することで行われる。これは表示部１０９においても同様である。
【００２１】
図１０に示すようなメール作成画面を自動的に作成、つまりテキストデータは本文に挿入し、それ以外の種類のデータは添付ファイルとして添付することにより、通信端末１０のユーザーが見ているデータは全て電子メールに自動的に付加されたことになる。このため、その電子メールを送られた人との間では、他の情報を電子メールに加えなくとも、メイン表示部１０８に表示されたデータを実質的に共有できることとなる。その結果、ユーザー自身が付加すべきデータは最小限に抑えられることから、伝達すべきデータを全て付加した電子メールの作成は確実、且つ容易に行えることとなる。なお、電子メールの送信は、そのデータをＣＰＵ１０５がＲＦブロック部１０１に送り、その送信を指示することで行われる。
【００２２】
ところで、テキストデータは、図９（ｂ）に示すように記述されると、図９（ａ）に示すように表形式で表示される。そのように表示されるテキストデータでは、そのテキストデータのみを抽出して電子メールの本文中に挿入すると、内容が前より判りにくくなると考えられる。このことから、本実施の形態では、データの種類だけでなく、その表示形式を判定して、表形式で表示させるべきテキストデータはその部分をイメージデータとして扱うようにしている。それにより、図９（ａ）に示すように表形式で表示されるテキストデータは、その全体をイメージデータにして電子メールに添付するようにしている。そのようにして、データ量、及び視認性の低下を回避している。
【００２３】
以降は、図２〜図７に示す各処理のフローチャートを参照して、通信端末１０の動作について詳細に説明する。なお、図２〜図７に示す各処理は、ＣＰＵ１０５が、ＲＯＭ１０６に格納されたプログラムを実行することで実現される。
図２〜図５は、全体処理のフローチャートである。ユーザーが利用するために行う操作方法を限定して着目する形で、電源がオンされた後に実行する処理の全体的な流れの例を抜粋して示したものである。始めに図２〜図５を参照して、その全体処理について詳細に説明する。
【００２４】
先ず、ステップ２０１では、電源がオンされたことに伴い、イニシャライズを実行し、通信端末１０を電源がオフされた際の設定状態にさせる。続くステップ２０２では、例えばＲＯＭ１０６から読み出した待受画面をメイン表示部１０８に表示させる。サブ表示部１０９にもそれ用の画面を表示させる。その後に移行するステップ２０３では、オフフックスイッチが操作されたか否か判定する。そのスイッチをユーザーが操作した場合、その旨がスイッチ部１１４よりＣＰＵ１０５に通知されることから、判定はＹＥＳとなってステップ２０４に移行する。そうでない場合には、判定はＮＯとなって図３のステップ２１１に移行する。
【００２５】
ステップ２０４では、電話番号入力用の番号入力画面をメイン表示部１０８に表示させる。次のステップ２０５では、スイッチ部１１４への入力操作（ダイヤルキーへの操作）に応じて電話番号を入力する処理を実行する。電話番号の入力によって移行するステップ２０５では、その電話番号を持つ電話機（以降、「接続先」の他に「相手機」、などと呼ぶ）との接続を要求する発信を行う。その発信により、携帯電話網側は、指定された相手機の呼び出しを行うための処理を行い、発信した側には、そのことを知らせる呼出音を放音させる処理を行う。このことから、続くステップ２０６では、携帯電話網側からの指示に従い呼出音の放音を行う。その放音は、相手機と接続することで次のステップ２０７の判定がＹＥＳとなるまで行う。ステップ２０８には、そのＹＥＳの判定により移行する。
【００２６】
なお、上記発信は、例えばＣＰＵ１０５がそれに必要な情報をＲＦブロック部１０１に送り、それを指示することで行われる。上記呼出音は、放音用の信号をＲＦブロック部１０１が受信して復調し、復調後の信号である音声信号をスピーカ１０４に出力することで放音される。
【００２７】
相手機が話し中、或いは電源がオフ等の理由により電話がかけられない状態であれば、その旨を通知する信号が携帯電話網側から送信される。相手機の呼び出しは、発信の中止をユーザーが指示することで終了する。このようなことから、発信（発呼）を行わせることで相手機と必ず接続するとは限らない。しかし、そのようなことは特に重要ではないことから、ここでは省略している。これは他の部分でも同様である。
【００２８】
ステップ２０８では、相手機との間で音声信号のやりとりを行うことで通話を実現させる通話処理を実行する。次のステップ２０９では、オンフックスイッチがオンされたか否か判定する。そのスイッチをユーザーが操作した場合、判定はＹＥＳとなり、相手機との接続の切断、つまり終話を携帯電話網側に要求する終話処理を実行した後、上記ステップ２０２に戻る。そうでない場合には、判定はＮＯとなって上記ステップ２８に戻る。それにより、終話を要求するまでの間、通話を行える状態を維持する。
【００２９】
上記ステップ２０３の判定がＮＯとなって移行する図３のステップ２１１では、ＴＶスイッチがオンされたか否か判定する。そのスイッチは、例えば操作される度に状態が変化、つまりオン状態からオフ状態、或いはオフ状態からオン状態に変化するものであり、後述するようにステップ２１１に移行した時点では、オフ状態と見なしている。このことから、ＴＶスイッチをユーザーが操作してオン状態とさせた場合、その状態がスイッチ部１１４からＣＰＵ１０５に通知されることから、判定はＹＥＳとなってステップ２１２に移行し、そうでない場合には、判定はＮＯとなって図２のステップ２０２に戻り、待受画面を表示させた状態を維持させる。
【００３０】
ステップ２１２では、ＴＶ部をオン、即ちテレビ用の構成要素である各部１０２〜１０４を動作状態とさせる。それ以降のステップ２１３、２１４では、ＴＶ部をオンさせることで復号部１０４から出力される映像データ（画像（イメージ）データ）をメイン表示部１０８に表示させ、それから出力される音声データをスピーカ１１２から放音させるための処理を実行する。ステップ２１５にはその後に移行する。
【００３１】
ステップ２１５では、データ放送で送信されたデータの表示を指示するためのデータ放送スイッチがオンされたか否か判定する。そのスイッチは、例えばＴＶ部をオンさせた場合に他の名称のスイッチにその機能を割り当てることで実現されるものであり、そのスイッチをユーザーが操作した場合、判定はＹＥＳとなり、ＴＶ部にデータ放送のデータの受信を指示した後、ステップ２１８に移行する。そうでない場合には、判定はＮＯとなってステップ２１６に移行する。
【００３２】
ステップ２１６では、ＴＶスイッチがオフ状態か否か判定する。そのスイッチをユーザーが操作してオン状態からオフ状態に移行させた場合、その状態変化がスイッチ部１１４からＣＰＵ１０５に通知されることから、判定はＹＥＳとなり、ステップ２１７でＴＶ部をオフさせてから図２のステップ２０２に戻る。そうでない場合には、判定はＮＯとなって上記ステップ２１３に戻る。それにより、テレビ番組を表示できる状態を維持する。
【００３３】
一方、ステップ２１８では、ＴＶ部のＯＦＤＭ復調部１０３から出力されるデータを解析して表示用のイメージデータを生成して表示ドライバー部１１０に送出することにより、メイン表示部１０８に例えば図８（ａ）に示すようなものを表示させる。続くステップ２１９では、テレビ番組が見られる映像放送の信号を受信する状態に戻るのを指示するための戻るスイッチがオンされたか否か判定する。そのスイッチは、上記データ放送スイッチと同様に、例えばＴＶ部をオンさせた場合に他の名称のスイッチにその機能を割り当てることで実現されるものであり、そのスイッチをユーザーが操作した場合、判定はＹＥＳとなり、ＴＶ部に映像放送の信号の受信を指示した後、上記ステップ２１３に戻る。そうでない場合には、判定はＮＯとなって図４のステップ２２０に移行する。
【００３４】
そのステップ２２０では、メール作成スイッチがオンされたか否か判定する。そのスイッチをユーザーが操作した場合、判定はＹＥＳとなってステップ２２１に移行し、そうでない場合には、判定はＮＯとなって図５のステップ２３２に移行する。
ステップ２２１では、メイン表示部１０８に表示させている、受信したデータ内の処理内容を指示する１つのタグを注目してその解析を行う。続くステップ２２２では、そのタグで表示される内容が単なるテキストデータか否か判定する。そのタグで表示されるデータが表形式で表示されないテキストデータであった場合、判定はＹＥＳとなり、ステップ２２３でそのテキストデータを抽出した後、ステップ２２４に移行する。そうでない場合には、判定はＮＯとなってステップ２２５に移行する。
【００３５】
ステップ２２４では、解析の対象となるタグ（データ）がないか否か判定する。全てのデータの解析が終了した場合、解析の対象となるタグは存在しないことから、判定はＹＥＳとなって図５のステップ２３２に移行する。そうでない場合には、判定はＮＯとなって上記ステップ２２１に戻る。それにより、対象とするタグを変えて、その解析を行う。
【００３６】
ステップ２２５では、ステップ２２１で解析したタグで表示される内容が画像（イメージ）データか否か判定する。そのタグが画像データを表示させるためのもの（図８（ｂ）参照）であった場合、判定はＹＥＳとなり、ステップ２２６でその画像データ（ここではそれを格納したファイル。図８（ｂ）では“Ｕｎｉｆｏｒｍ．ｊｐｇ”が対応）を抽出した後、上記ステップ２２４に移行する。そうでない場合には、判定はＮＯとなってステップ２２７に移行する。
【００３７】
ステップ２２７では、ステップ２２１で解析したタグで表示される内容が表形式のテキストデータか否か判定する。そのタグが図９（ｂ）に示すような形式のものであった場合、判定はＹＥＳとなってステップ２２８に移行し、そうでない場合には、判定はＮＯとなって上記ステップ２２４に移行する。
【００３８】
ステップ２２８では、そのタグで記述された部分を抽出し、続くステップ２２９では、その部分をビットマップパターンに展開するビットマップ処理を実行する。次に移行するステップ２３０では、そのパターンを圧縮するＪＰＥＧ処理を実行する。その後は、ステップ２３１で圧縮後の画像データを格納するファイルのファイル名を作成し、その画像データをそのファイル名のファイルに格納する処理を実行してから上記ステップ２２４に移行する。それにより、図９（ｂ）に示すようなデータは、画像データに変換されて電子メールに添付ファイルとして添付される。
【００３９】
上記ステップ２２４の判定がＹＥＳとなって移行する図５のステップ２３２では、メール作成画面枠をメイン表示部１０８に表示させる。その画面枠は、図１０に示す画面において、本文、及び添付ファイルのファイル名が入力されていない状態のものである。
ＣＰＵ１０５がメイン表示部１０８に画像データを表示させる場合、上述したように、その画像データ（ここではビットマップパターン）はＲＡＭ１０７に確保した領域に格納され、必要に応じて加工される。その領域にメール作成画面枠の画像データを格納すると、その画像データが格納されたエリア内には、本文表示用のエリア、添付ファイルのファイル名表示用のエリアが存在する。他には、送信先となるメールアドレス表示用のエリア、表題（タイトル）表示用のエリアが存在する。ここでは、本文表示用のエリアを「本文入力エリア」、ファイル名表示用のエリアを「添付ファイルエリア」とそれぞれ呼ぶこととする。他のエリアも入力エリアと呼ぶこととする。
【００４０】
ステップ２３２に続くステップ２３３では、本文入力エリアにステップ２２３で抽出したテキストデータをビットマップパターンに展開してストアし、それをストア後の画像データを表示ドライバ部１１０に送出して本文が自動的に入力されたメール作成画面を表示させる。次のステップ２３４では、添付すべき添付ファイル（画像ファイル）が存在するか否か判定する。ステップ２２６の処理を実行するか、或いはステップ２２７の判定がＹＥＳとなっていた場合、添付ファイルは存在することから、判定はＹＥＳとなってステップ２３５に移行する。そうでない場合には、判定はＮＯとなってステップ２３７に移行する。
【００４１】
ステップ２３５では、上記添付ファイルエリアに、ステップ２２６で抽出した画像ファイルのファイル名、或いはステップ２３１で自動作成したファイル名をビットマップパターンに展開してストアする。次のステップ２３６では、それをストア後の画像データを表示ドライバ部１１０に送出して本文、及び添付ファイルのファイル名が自動的に入力されたメール作成画面を表示させる。次のステップ２３４では、メールアドレス、表題、本文、及びファイル名の入力用エリアの一つにカーソルを表示させる。ステップ２３８にはその後に移行する。
【００４２】
ステップ２３８では、カーソルスイッチがオンしたか否か判定する。カーソルスイッチを構成する上下左右の何れかのスイッチをユーザーが操作した場合、判定はＹＥＳとなり、ステップ２３９において、それまでの位置、操作されたスイッチの種類などに応じてその位置を移動させてから、ステップ２４０に移行する。そうでない場合には、判定はＮＯとなり、次にそのステップ２４０の処理を実行する。
【００４３】
ステップ２４０では、データ入力が行われたか否か判定する。ユーザーがスイッチ部１１４に対しデータ入力用の操作を行った場合、判定はＹＥＳとなり、ステップ２４１でカーソルの位置にユーザーが操作で指定したデータを表示させた後、ステップ２４２に移行する。そうでない場合には、判定はＮＯとなってそのステップ２４２に移行する。
【００４４】
ステップ２４２では、電子メールの送信を指示するための送信スイッチがオンされたか否か判定する。そのスイッチは、例えば電子メールの作成が行える状態に移行させた場合に他の名称のスイッチにその機能を割り当てることで実現されるものであり、そのスイッチをユーザーが操作した場合、判定はＹＥＳとなり、電子メールを送信する処理（ステップ２４３）、メイン表示部１０８に表示させているメール作成画面の消去（ステップ２４４）を行った後、図３のステップ２１８に戻る。それにより、データ放送の受信したデータをメイン表示部１０８に表示させる。一方、そうでない場合には、判定はＮＯとなってステップ２４５に移行する。
【００４５】
ステップ２４５では、電子メールの作成中止を指示するための中止スイッチがオンされたか否か判定する。そのスイッチも送信スイッチと同様に、例えば電子メールの作成が行える状態に移行させた場合に他の名称のスイッチにその機能を割り当てることで実現されるものであり、そのスイッチをユーザーが操作した場合、判定はＹＥＳとなり、上記ステップ２４４に移行してメール作成画面を消去させる。そうでない場合には、判定はＮＯとなって上記ステップ２３８に移行する。それにより、電子メールの作成や送信等を行える状態を維持する。
【００４６】
このようにして、データ放送で送信されたデータがメイン表示部１０８に表示させた状態でユーザーがメール作成スイッチを操作すると、そのデータの種類、及び表示形式を考慮して、そのデータが電子メールの本文に挿入されるか、或いは添付ファイルとして添付される。それにより、メイン表示部１０８で表示されたデータと同じ、或いはほぼ同じ情報量が電子メールに自動的に付加される。このため、ユーザーにとっては、そのデータでは伝えられない情報を電子メールに付加すれば良い形となり、そのデータの内容を伝えるための電子メールを確実、且つ容易に作成できることとなる。
【００４７】
以降は、割込みによって実行する各種割込み処理について、図６、図７に示すフローチャートを参照して詳細に説明する。それらの割込み処理は、ＣＰＵ１０５に搭載された割込みフラグレジスタ中の対応する割込みフラグがセットされた場合に実行される。遅くともその実行後には、対応する割込みフラグはリセットされる。
【００４８】
図６は、着信検知処理のフローチャートである。その割込み処理は、電話の着信を報知するために実行されるものである。それに対応する割込みフラグは、ＲＦブロック部１０１によってセットされる。割込み処理では、始めに図６を参照して、その報知を実現させるための着信検知処理について詳細に説明する。
【００４９】
先ず、ステップ６０１では、ＴＶ部がオンされた状態か否か判定する。ＴＶスイッチがオン状態となっている場合、ＴＶ部をオンさせていることから、判定はＹＥＳとなり、ステップ６０２でＴＶ部をオフさせ、ステップ６０３で着信を報知するための着信画面をメイン表示部１０８に表示させ、更にステップ６０４でその報知のためにスピーカ１１２による音声の放音を行わせる。その放音はユーザーがオフスイッチを操作することでステップ６０５の判定がＹＥＳとなるまで継続して行う。その判定がＹＥＳとなるとステップ６０６に移行する。一方、ＴＶ部がオンされた状態でなかった場合には、上記ステップ６０１の判定はＮＯとなり、ステップ６０３に移行する。
【００５０】
ステップ６０６では、相手機との間で通話を実現させる通話処理を実行する。その次のステップ６０７では、オンフックスイッチがオンされたが行われたか否か判定する。そのスイッチをユーザーが操作した場合、判定はＹＥＳとなり、ステップ６０８で終話処理を実行して接続を切断させた後、ステップ６０９に移行する。そうでない場合には、判定はＮＯとなって上記ステップ６０６に戻る。それにより、通話状態を維持させる。
【００５１】
ステップ６０９では、着信時にＴＶ部がオンされた状態であったか否か判定する。ステップ６０２でＴＶ部をオフさせていた場合、判定はＹＥＳとなり、ステップ６１０でＴＶ部をオンさせてから一連の処理を終了する。そうでない場合には、判定はＮＯとなり、ここで一連の処理を終了する。
【００５２】
図６は、メール着信検知処理のフローチャートである。その割込み処理は、電子メールの着信を報知するために実行されるものである。それに対応する割込みフラグは、ＲＦブロック部１０１によってセットされる。次に図７を参照して、その報知を実現させるための着信検知処理について詳細に説明する。
【００５３】
先ず、ステップ７０１では、ＴＶ部がオンされた状態か否か判定する。ＴＶスイッチがオン状態となっている場合、判定はＹＥＳとなり、ステップ７０２でＴＶ部をオフさせ、ステップ７０３で電子メールの着信を報知するためのメール着信画面をメイン表示部１０８に表示させ、ステップ７０４で着信した電子メールを例えばＲＡＭ１０７に確保したエリアである受信ＢＯＸにストアし、更にステップ７０５でその報知のためにスピーカ１１２による音声の放音を一定時間、行わせた後、ステップ７０６に移行する。一方、ＴＶ部がオンされた状態でなかった場合には、判定はＮＯとなり、ステップ７０３に移行する。
【００５４】
ステップ７０６では、新規に着信した電子メールの開封を要求する操作が行われたか否か判定する。その操作をユーザーが行った場合、判定はＹＥＳとなり、ステップ７０７において、その電子メールの内容を配置した開封画面をメイン表示部１０８に表示させた後、ステップ７０８に移行する。そうでない場合には、判定はＮＯとなってそのステップ７０８に移行する。
【００５５】
ステップ７０８では、クリアスイッチがオンされるのを待つ。そのスイッチをユーザーが操作すると、その判定がＹＥＳとなってステップ７０９に移行し、着信時にＴＶ部がオンされた状態であったか否か判定する。ステップ７０２でＴＶ部をオフさせていた場合、判定はＹＥＳとなり、ステップ７１０でＴＶ部をオンさせてから一連の処理を終了する。そうでない場合には、判定はＮＯとなり、ここで一連の処理を終了する。
【００５６】
このように、本実施の形態では、電話、電子メールの着信時には、ＴＶ部はオンされていても一時的にオフさせるようにしている。これは、ＴＶ部の消費電力が他の部分と比較して大きいためである。そのＴＶ部をオフさせることにより、消費電力をより抑えるようにしている。
【００５７】
なお、本実施の形態では、受信したデータ放送によるデータを、電子メールの作成支援のために自動的に付加しているが、その付加は、自動作成して電子メールを送信するために行っても良い。電子メールに付加するデータとしては、データ放送によるデータではなく、Ｗｅｂページ上のデータであっても良い。付加するデータの種類をユーザーが選択できるようにしても良い。
【００５８】
上述したような通信端末、或いはその変形例を実現させるようなプログラムは、ＣＤ−ＲＯＭ、ＤＶＤ、或いは着脱自在なフラッシュメモリ等の記録媒体に記録させて配布しても良い。携帯電話網等の通信ネットワークを介して、そのプログラムの一部、若しくは全部を配信するようにしても良い。そのようにした場合には、ユーザーはプログラムを取得して通信端末にロードすることにより、その通信端末に本発明を適用させることができる。このことから、記録媒体は、プログラムを配信する装置がアクセスできるものであっても良い。
【図面の簡単な説明】
【００５９】
【図１】本実施の形態による通信端末装置の構成図である。
【図２】全体処理のフローチャートである。
【図３】全体処理のフローチャートである（続き１）。
【図４】全体処理のフローチャートである（続き２）。
【図５】全体処理のフローチャートである（続き３）。
【図６】着信検知処理のフローチャートである。
【図７】メール着信検知処理のフローチャートである。
【図８】デジタル放送のデータ放送で送信されるデータを説明する図である（その１）。
【図９】デジタル放送のデータ放送で送信されるデータを説明する図である（その２）。
【図１０】メール作成画面を説明する図である。
【符号の説明】
【００６０】
１０    通信端末装置（携帯電話機）
１０１    ＲＦブロック部
１０２    チューナー部
１０３    ＯＦＤＭ復調部
１０４    復号部
１０５    ＣＰＵ
１０６    ＲＯＭ
１０７    ＲＡＭ
１０８、１０９    表示部
１１０    表示ドライバ部
１１１    マイク
１１２    スピーカ
１１３    スイッチ部
【図１】
2005196289.tif 000003
【図２】
2005196289.tif 000004
【図３】
2005196289.tif 000005
【図４】
2005196289.tif 000006
【図５】
2005196289.tif 000007
【図６】
2005196289.tif 000008
【図７】
2005196289.tif 000009
【図８】
2005196289.tif 000010
【図９】
2005196289.tif 000011
【図１０】
2005196289.tif 000012